Podtech/llm-jp-corpus-v4-ja_patent huggingface dataset:
(57)【要約】【課題】  野菜や海藻など食材の水切りをする時、食材に附着している余分の水分のために肝心の料理の味がそこなわれないよう、附着している余分の水分を素早く、充分に除去でき、料理の美味しさを保つことができるよう、タテ型に水を切る水切りスタンドを提供すること。【解決手段】  円錐型又は角錐型の脚体１に目の荒い約１０ｍｍ位の網状クッションネット２を被せ、その上に水切り食材を載せてタテ型に水を切る。又、脚体１の最上部３にザル様水切り具５を載せて円内の溝部に豆類、ブロッコリーなどの水切り食材を入れ、網状クッションネット２を伝わせてタテ型に水を切る。【選択図】図１
2013043079.tif 000002
【特許請求の範囲】
【請求項１】
食材水切りスタンドを使用する時、複数の脚体を拡げる錐体形の開閉式水切りスタンドであって、脚の最上部より脚体の各脚の覗く程度の網状クッションネットを被せ、タテ型に水を切る水切りスタンド。
【請求項２】
請求項１記載の網状クッションネットの脚の最上部にザル様水切り具を載せて水切り物を入れ、タテ型に水を切る水切りスタンド。
【発明の詳細な説明】
【発明の詳細な説明】
【技術分野】
【０００１】  本発明は、主として調理上爼の上で食材の水切りを必要とする時、水切り用具としての食材の水切りスタンドに関するものである。
【背景技術】
【０００２】  従来の水切り用具は、金網製や竹製など、色々なザル様式や、又、平面上に拡がるスノコ様のものなどがあった。（特許文献１、２）。しかし、どの様式のものも水切りの最終段階で、水の特性である表面張力や附着力の自然法則が水切りの妨げになり、食材に附着している無駄な水分を完全に除去するまでには至らなかった。
【先行技術文献】
【０００３】
【特許文献１】  実開平６−７５３４３号公報
【特許文献２】  特開２００３−１２５９５６号公報
【発明の概要】
【発明が解決しようとする課題】
【０００４】  そこで、水切が充分に出来て料理の味をそこなわないようにする、食材の水切り用具について検討した。
【課題を解決するための手段】
【０００５】  上記課題を解決するために、この食材水切りスタンドを使用する時、複数の脚体を拡げる錐体形の開閉式水切りスタンドであって、脚の最上部より脚体の各脚が覗く程度の網状クッションネットを被せ、タテ型に水を切る水切りスタンドである。【０００６】  又、網状クッションネットの脚の最上部にザル様水切り具を載せて水切り物を入れ、タテ型に水を切る水切りスタンドである。【０００７】  この水切りスタンドは錐体型のタテ型開閉式水切りスタンドであって、水切りをする時は複数本の脚体のそれぞれの下部へ上下に動く針金を、脚体内角部の中心地点に小環で連結して複数本の脚を拡げることにより使用できる。又、脚体に被せた網状クッションネットは各脚体の下部を覗かせる大きさとし、目の荒さは、水の自然法則である表面張力、附着力などによる附着水分除去のため、約１０ｍｍ位の荒さとした。前述のように、従来はすべて平面的であった。これでは水切り不充分で、本発明ではタテ型を特徴とした水切りスタンドである。【０００８】  又、食材が豆類、ブロッコリーなどの水切りに用いる時は、上記の脚体の最上部にザル様水切り具を載せて水切り物を入れると、食材に附着の余分の水分が網状クッションネットを伝わって除去できることを特徴とする水切りスタンドである。
【発明の効果】
【０００９】  本発明は、以上のように構成したので、調理上、水切用として野菜類、海藻、果物などの食材を洗ったり、茹でたりした時タテ型に水を切る水切りスタンドとして発明したもので、従来の水切り籠やネットなどとは全く異り、余分の水分をタテ型に、素早く水分を除去できるので、したがって、調理の味を全くそこなうことなく美味しさを保つ効果がある。
【図面の簡単な説明】
【００１０】
【図１】  本発明に係る水切りスタンドの斜視図である。
【図２】  本発明に係る水切りスタンドの他の例を示す斜視図である。
【発明を実施するための形態】
以下、本発明の実施例を図面に従って説明する。
【００１１】  図１は、本発明に係る水切りスタンドの一例を示す斜視図であって、三本の脚からなる脚体１と網状クッションネット２から成り、水切りに用いる時には三本の脚体１の最上部３で１体に結合し、それぞれの下部４３に針金４１三本を小環４２に連結して三本の脚体を拡げた錐体型の水切りスタンドである。又、脚体に被せた網状クッションネット２は各脚体の下部１を覗かせる大きさとし、目の荒さは附着水分除去のため、約１０ｍｍ位の荒さとしている。針金４１はそれぞれ脚体下部４３の固定位置で三本の脚体を開くことによりタテ型に安定した水切りスタンドとなる。尚、角錐体は三本の他、多数本でも応用できる。又、針金４１は鎖にしてもよい。
【００１２】  図２は、本発明の食材水切りスタンドの他の例を示すもので、図１の脚体の最上部３に約１０ｍｍ位の荒さのザル様水切り具を載せた水切りスタンドの斜視図である。このザル様水切り具５は、中心部を高く盛り上げて図１の脚体１の最上部３に載せて安定させる。図２は、主として、豆類、ブロッコリーなどの水切り用として円内の溝部に水切り食材を入れ、網状クッション２を伝わってタテ型に水切りができる。
【符号の説明】
【００１３】１．    脚体
２．    網状クッションネット
３．    脚体の最上部
４．    開閉式用具
４１．針金
４２．小環
４３．針金取付部
５．    ザル様水切り具
【図１】
2013043079.tif 000003
【図２】
2013043079.tif 000004
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
食材水切りスタンドを使用する時、複数の脚体を拡げる錐体形の開閉式水切りスタンドであって、脚の最上部より脚体の各脚が覗く程度の網状クッションネットを被せ、タテ型に水を切る水切りスタンド。
【請求項２】
請求項１記載の網状クッションネットを被せた脚体の最上部にザル様水切り具を載せて水切り物を入れ、タテ型に水を切る水切りスタンド。
(57)【要約】【課題】  入浴後の乳児を従来のバスタオルで拭くときには、バスタオルの側部、底部を無理に何回も腹部に引っ張って拭くしかなく、乳児の体を隅々まで隈なく水気を吸収し、体を冷やさないように迅速に、たとえば、腕、脇、足、股などを拭くことは不可能であった。  本発明は、入浴後の乳児の水気を迅速に吸取るための乳児バスタオルを提供する。【解決手段】  バスタオルの上部に頭巾を設け、各腕部と各足部に切込みを設け、各切込みを介して、襠を設けたことを特徴とする乳児バスタオル。【選択図】図１
2013043077.tif 000002
【特許請求の範囲】
【請求項１】
バスタオルの上部に頭巾を設け、各腕部と各足部に切込みを設け、各切込みを介して襠を設けた、乳児バスタオル。
【発明の詳細な説明】
【技術分野】
【０００１】  本発明は、バスタオルの上部に頭巾を設け、各腕部と各足部に切込みを設け、各切込みを介して襠を設けた、乳児バスタオルに関するものである。
【背景技術】
【０００２】  従来、入浴後の乳児の体の水気を拭き取るには、主にバスタオルを無理に側部と底部を腹部へ引っ張って拭いていた。
【発明の概要】
【発明が解決しようとする課題】
【０００３】  入浴後の乳児を従来のバスタオルで拭くときには、バスタオルの側部、底部を無理に何回も腹部に引っ張って拭くしかなく、乳児の体を隅々まで隈なく水気を吸収し、体を冷やさないように迅速に、たとえば、腕、脇、足、股などを拭くことは不可能であった。
本発明は、以上の問題点を解決するためになされたものである。
【課題を解決するための手段】
【０００４】  バスタオルの上部に頭巾を設け、各腕部と各足部に切込を設け、切込を介して襠を設けた乳児バスタオル。
以上の構成よりなる乳児バスタオル。
【発明の効果】
【０００５】  従来、不可能とされていた入浴後の乳児の体を冷やすことなく体の隅々まで水気を吸収し、迅速・簡単に拭くことを本発明により可能にした乳児バスタオルを提供できる。
【図面の簡単な説明】
【０００６】
【図１】  本発明の斜視図である。
【図２】  本発明の使用状態を示した説明図である。
【発明を実施するための形態】
【０００７】  以下、本発明の実施の形態を説明する。
（イ）幅の太い長方形乳児バスタオルの上部に乳児の頭を拭く膨らみのある頭巾（２）を    設ける。
（ロ）乳児バスタオル（１）の各腕部（４）横方向と各足部（８）縦方向に切込み（３）    を設ける。
（ハ）乳児バスタオル（１）の各切込み（３）を介して長方形の襠を設ける。
本発明は以上のような構造である。
本発明を使用するときは、入浴後の乳児（１１）を乳児バスタオル（１）の上に寝かせて、頭部を頭巾（２）で覆い拭いて、両腕と両足を切込み（３）の位置におき、底部（７）を足部（８）の襠（５）を広げながらオムツを当てる様に腹部（１０）に折畳む、側部（６）を腕部（４）の襠（５）を広げながら、腹部（１０）に折畳む、両肩部（９）を肩内側へ折畳み、乳児（１１）全体を恰も洋服を着せたような状態にして、完全に包み込み、素早く体の隅々まで水気を吸取り、乳児（１１）の体に数箇所軽く手を当てるだけで、簡単に乳児（１１）の体全体を拭くことができる。
従来のバスオルでは、バスタオル自体が平面で、本発明のように襠がないため、何回も）無理矢理、底部（７）、側部（６）を腹部（１０）へバスタオルを引っ張って乳児（１１）を拭かなければならず時間が掛かる。
また、絶えず動く乳児（１１）をバスタオルがしっかりと包み込むことができず、乳児（１１）とバスタオルがずれてしまって不便であったが、乳児バスタオル（１）に襠（５）を設けることにより、腕部（４）の脇、足部（８）の股部の様な拭き難い部分でも、襠の様な立体的な部分を設けることにより簡単に拭けて問題が解消される。
乳児バスタオル（１）で入浴後の乳児（１１）の体を拭くことで、決して冷やしてはならない乳児（１１）の腹部にタオルが複数枚重なる事により、乳児（１１）を安全・確実に包み込めて、より早く水分を吸収できるため、乳児（１１）全体を包みお腹を冷やすことなく、体の温かさを逃す前に拭くことができるので体全体を冷やさない。
【符号の説明】
【０００８】１  乳児バスタオル
２  頭巾
３  切込み
４  腕部
５  襠
６  側部
７  底部
８  足部
９  肩部
１０  腹部
１１  乳児
【図１】
2013043077.tif 000003
【図２】
2013043077.tif 000004
(57)【要約】【課題】  素手の指先が乾燥してしまった場合でも、指先に塗布することで静電容量式のタッチパネルを指先で直接操作でき、また、手袋をはめた状態で静電容量式のタッチパネルの操作が可能な静電容量式タッチパネル操作用塗布剤及び静電容量式タッチパネル操作用手袋を提供することにある。【解決手段】  保湿性を有するジェル状化粧料であり、重量％で９０％以上の精製水に、増粘剤としてグリセリン、カルボマー又は及びポリアクリル酸ナトリウムを用いたことを特徴とする。【選択図】なし【特許請求の範囲】
【請求項１】
静電容量式のタッチパネルを操作するための静電容量式タッチパネル操作用塗布剤において、
保湿性を有するジェル状化粧料であることを特徴とする静電容量式タッチパネル操作用塗布剤。
【請求項２】
重量％で９０％以上の精製水に、増粘剤としてグリセリン、カルボマー又は及びポリアクリル酸ナトリウムを用いたことを特徴とする請求項１記載の静電容量式タッチパネル操作用塗布剤。
【請求項３】
請求項１又は請求項２記載の静電容量式タッチパネル操作用塗布剤を塗布したことを特徴とする静電容量式タッチパネル操作用手袋。
【発明の詳細な説明】
【技術分野】
【０００１】
本発明は、静電容量式のタッチパネルを操作するための静電容量式タッチパネル操作用塗布剤及び静電容量式タッチパネル操作用手袋に関する。
【背景技術】
【０００２】
携帯電話や携帯音楽端末等の携帯端末の静電容量式のタッチパネルを操作するためには、素手の指先でタッチパネルに触れないとタッチパネルを操作することはできない。一方、冬季に指先が乾燥してしまい、指先でタッチパネルに触れても思うように操作ができない場合がある。また、冬季等に手袋をはめたままでタッチパネルを操作したいという要望がある。そこで、特許文献１に示されるような静電容量式タッチパネル操作用手袋が提案されている。
【０００３】
この特許文献１に示される静電容量式タッチパネル操作用手袋は、指先のタッチパネル操作面に、所定面積を有する導電体を具備している。この静電容量式タッチパネル操作用手袋を装着すれば、指先の乾燥の有無にかかわらず、また冬季に手袋をはめた状態でも、タッチパネルの操作を行うことが可能となる。
【先行技術文献】
【特許文献】
【０００４】
【特許文献１】特開２００８−０８１８９６号公報
【発明の概要】
【発明が解決しようとする課題】
【０００５】
しかしながら、静電容量式タッチパネル操作用手袋をはめなければ操作できないとなると、手袋をはめること自体が煩雑になってしまう。
【０００６】
本発明は、このような事情に鑑みてなされたもので、素手の指先が乾燥してしまった場合でも、指先に塗布することで静電容量式のタッチパネルを指先で直接操作でき、また、手袋をはめた状態で静電容量式のタッチパネルの操作が可能な静電容量式タッチパネル操作用塗布剤及び静電容量式タッチパネル操作用手袋を提供することにある。
【課題を解決するための手段】
【０００７】
請求項１記載の静電容量式タッチパネル操作用塗布剤は、保湿性を有するジェル状化粧料であることを特徴とする。
【０００８】
請求項２記載の静電容量式タッチパネル操作用塗布剤は、重量％で９０％以上の精製水に、増粘剤としてグリセリン、カルボマー又は及びポリアクリル酸ナトリウムを用いたことを特徴とする。
【０００９】
請求項３記載の静電容量式タッチパネル操作用手袋は、請求項１又は請求項２記載の静電容量式タッチパネル操作用塗布剤を塗布したことを特徴とする。
【発明の効果】
【００１０】
請求項１及び請求項２の発明によれば、保湿性を有するジェル状化粧料であることから、素手の指先が乾燥してしまった場合でも、指先に塗布することで静電容量式のタッチパネルを指先で直接操作できる。
【００１１】
請求項３の発明によれば、保湿性を有するジェル状化粧料である静電容量式タッチパネル操作用塗布剤を指先に塗布したことで、手袋をはめたまま静電容量式のタッチパネルを指先で直接操作できる。
【発明を実施するための形態】
【００１２】
本実施の形態における静電容量式タッチパネル操作用塗布剤は、携帯電話（スマートフォン）や携帯音楽端末等の携帯端末の静電容量式のタッチパネルを操作するために、素手の指先に塗布するもので、保湿性を有するジェル状の化粧料である。
【００１３】
静電容量式タッチパネル操作用塗布剤は、具体的には、例えば、重量％で、９４．３４％の精製水、０．４８％のグリセリン、０．４８％のカルボマー及び４．７％のポリアクリル酸ナトリウムで、構成されている。精製水の割合は、重量％で９０％以上で、それに増粘剤が添加されていればよい。この増粘剤としては、グリセリン、カルボマー又はポリアクリル酸ナトリウム等があり、これら単体又はこれらを組み合わせて添加するようにする。また、静電容量式タッチパネル操作用塗布剤の品質を保持させるために、防腐殺菌剤（例えば、フェノキシエタノール）や、キレート剤（例えば、エチレンジアミン四酢酸（エデト酸）の三ナトリウム塩（EDTA-3Na））等を添加するようにしてもよい。
【００１４】
このような静電容量式タッチパネル操作用塗布剤は、保湿性を有するジェル状化粧料であることから、素手の指先が乾燥してしまった場合でも、指先に塗布することで静電容量式のタッチパネルを指先で直接操作できる。
【００１５】
尚、前述の静電容量式タッチパネル操作用塗布剤は、素手の指先に塗布するだけではなく、手袋の指先に塗布して、静電容量式のタッチパネルを操作するようにしてもよい。すなわち、前述の静電容量式タッチパネル操作用塗布剤を指先に塗布した手袋であれば、手袋をはめたまま静電容量式のタッチパネルを指先で操作できる。
【００１６】
前述の静電容量式タッチパネル操作用塗布剤を手袋に使用する場合、あらかじめ手袋に導電体を具備させておくことなく、既に使っている手袋に必要に応じて静電容量式タッチパネル操作用塗布剤を塗布して、静電容量式のタッチパネルを操作できる。
【産業上の利用可能性】
【００１７】
以上のように、本発明によれば、素手の指先が乾燥してしまった場合でも、指先に塗布することで静電容量式のタッチパネルを指先で直接操作でき、また、手袋をはめた状態で静電容量式のタッチパネルの操作が可能な静電容量式タッチパネル操作用塗布剤及び静電容量式タッチパネル操作用手袋を提供することができる。
(57)【要約】【課題】  自動車への着脱が容易であって、且つ盗難の恐れのない、新規な自動車のフロントガラスカバーを提供することを目的とする。【解決手段】  自動車８のフロントガラス９を覆う断熱性を有するカバー本体２を、その幅方向に折り畳み可能となし、そのカバー本体２の両側端部の上下部に、当該上下部間の距離より十分に長い紐状物６の両端を止着し、当該紐状物６に吸盤７を摺動可能に取り付けてなる。【効果】  容易に着脱することができると共に、前記吸盤があるのでドアを開けなければ取り外すことができず、盗難の恐れがない。【選択図】          図１
2013043455.tif 000002
【特許請求の範囲】
【請求項１】
自動車（８）のフロントガラス（９）を覆う断熱性を有するカバー本体（２）を、その幅方向に折り畳み可能となし、そのカバー本体（２）の両側端部の上下部に、当該上下部間の距離より十分に長い紐状物（６）の両端を止着し、当該紐状物（６）に吸盤（７）を摺動可能に取り付けたことを特徴とする、自動車のフロントガラスカバー
【発明の詳細な説明】
【技術分野】
【０００１】
本発明は、冬季においては自動車のフロントガラスが凍結するのを防止すると共に、夏季においては自動車の車室内への直射日光の照射を妨げ、ダッシュボードやハンドルなどが過度に熱くなるのを防止するための、自動車のフロントガラスカバーに関するものである。
【背景技術】
【０００２】
上記目的のための自動車のフロントガラスカバーとしては、特開２００６−２１３１５５号公報に記載されたものが知られている。このものは自動車のフロントガラスを覆う大きさのシートを、その両側縁を面ファスナーによりフロントガラスの両側縁部に止着するものであった。
【０００３】
しかしながらこのものでは、使用するたびに自動車のフロントガラスの両側縁部に面ファスナーを取りつけ、使用が終わればその面ファスナーを取り外さなければならないのであって、極めて面倒であった。
【０００４】
しかもフロントガラスカバーは自動車の外側から取り付けられ、面ファスナーも自動車の外側から着脱されるのであるから、自動車の使用者以外の者も容易に着脱できるのであり、盗難の恐れが大きかった。
【先行技術文献】
【特許文献】
【０００５】
【特許文献１】特開２００６−２１３１５５号公報
【発明の概要】
【発明が解決しようとする課題】
【０００６】
本発明はかかる事情に鑑みなされたものであって、自動車への着脱が容易であって、且つ盗難の恐れのない、新規な自動車のフロントガラスカバーを提供することを目的とするものである。
【課題を解決するための手段】
【０００７】
而して本発明は、自動車のフロントガラスを覆う断熱性を有するカバー本体を、その幅方向に折り畳み可能となし、そのカバー本体の両側端部の上下部に、当該上下部間の距離より十分に長い紐状物の両端を止着し、当該紐状物に吸盤を摺動可能に取り付けたことを特徴とするものである。
【発明の効果】
【０００８】
本発明によれば、カバー本体の両側端部に紐状物を止着し、当該紐状物に吸盤を摺動可能に取り付けているので、カバー本体でフロントガラス等を覆った後、自動車の両側のドアを開けて前記紐状物を車室内に引き込み、前記吸盤をフロントガラスの内側面に取り付けてドアを閉じることにより、容易に着脱することができると共に、前記吸盤があるのでドアを開けなければ取り外すことができず、盗難の恐れがない。
【図面の簡単な説明】
【０００９】
【図１】本発明のフロントガラスカバーの正面図
【図２】本発明のフロントガラスカバーの拡大中央縦断面図
【図３】本発明のフロントガラスカバーを自動車のフロントガラスに取り付けた状態の斜視図
【図４】本発明のフロントガラスカバーを自動車のフロントガラスに取り付けるときの、ドアを開いた状態の斜視図
【発明を実施するための形態】
【００１０】
以下本発明を図面に基づいて説明する。図１及び図２は本発明のフロントガラスカバー１を示すものであって、そのカバー本体２は、外皮３内に断熱材４を収容すると共に、間欠的に上下方向に外皮３同士を接合することにより、当該接合部５において幅方向に折り畳み可能となっている。
【００１１】
そしてそのカバー本体２の両側端部の上下部に、当該上下部間の距離より十分に長い紐状物６の両端を止着し、当該紐状物６に吸盤７が前記紐状物６に沿って摺動可能に取り付けられている。
【００１２】
而して本発明のフロントガラスカバー１を使用するには、先ず図３に示すようにカバー本体２を幅方向に伸ばして自動車８のフロントガラス９の表面を覆い、次いで自動車８の両前ドア１０を開いて、図４に示すように前記紐状物６をドアレール１１で折り返して、吸盤７をフロントガラス９の内面に吸着させる。
【００１３】
本発明においては吸盤７が紐状物６に対して摺動可能に取り付けられているので、紐状物６をドアレール１１で折り返して車室内に引き込んだ状態で、吸盤７を紐状物６に対して摺動させることにより、吸盤７の位置を調節することができ、もっとも適した位置で吸盤７をフロントガラス９に止着することができる。
【００１４】
この状態で前記前ドア１０を閉じることにより、図３に示すようにフロントガラスカバー１でフロントガラス９を覆った状態で取り付けられる。また紐状物６は前ドア１０とドアレール１１との間に挟持され、車室内において吸盤７がフロントガラス９に吸着されているので、両前ドア１０を開かない限りフロントガラスカバー１を取り外すことができず、盗難の恐れはない。
【００１５】
而してカバー本体２は外皮３内に断熱材４を収容しているので、断熱性を有しており、冬季においては自動車のフロントガラスが凍結するのを防止すると共に、夏季においては直射日光が車室内に当たるのを阻止し、ダッシュボードやハンドルなどが過度に熱くなるのを防止することができる。
【００１６】
またフロントガラスカバー１を取り外すには、両前ドア１０を開いてフロントガラス９から吸盤７を外すことにより、容易にフロントガラス９表面からフロントガラスカバー１を取り外すことができる。またフロントガラスカバー１の不使用時には、前記接合部５においてカバー本体２を折り畳むことができ、コンパクトに収納することができる。
【符号の説明】
【００１７】
１  フロントガラスカバー
２  カバー本体
６  紐状物
７  吸盤
８  自動車
９  フロントガラス
【図１】
2013043455.tif 000003
【図２】
2013043455.tif 000004
【図３】
2013043455.tif 000005
【図４】
2013043455.tif 000006
(57)【要約】      （修正有）【課題】地震発生から津波が押し寄せるまでに高台や避難ビル等に逃れるのが困難と予測される地域で、一時避難のために設置と準備が容易な避難用建屋を提供する。【解決手段】壁と屋根パネルに発泡ウレタンが充填された浮力の大きい海上輸送用冷凍コンテナを改造することが特徴で、津波からの有効な避難場所が無い地域のための救難対策と繋留して漂流対策を講じた、沈没せず確実に津波から人命をまもる一時避難用建屋１を提供するものである。また、世界規格のコンテナを利用することで、国内のみならず世界各地の同様な地域で津波からの安全避難が期待できる一時避難用建屋である。【選択図】図１
2013063753.tif 000002
【特許請求の範囲】
【請求項１】
壁パネル及び屋根パネルに発泡ウレタンを充填した海上輸送用冷凍コンテナを改造することを特徴とする、津波から人命を守るための繋留して漂流も沈没もしない一時避難用建屋。
【請求項２】
複数本のタイヤ輪中に空ボンベ一本をくぐらせ、該ボンベの両端に鎖を緊結し複数連からなる部品を一組として、一時避難用建屋の周囲に数組配置して取り付けるのは、津波によって発生した漂流物から一時避難用建屋を保護するための漂流物除け緩衝浮きであって、一時避難用建屋の最下部フレームに緊結することで浮力も増長する緩衝浮きを備えることを特徴とする津波から人命を守るための繋留して漂流も沈没もしない一時避難用建屋。
【発明の詳細な説明】
【特許の詳細な説明】
【特許の属する技術分野】
【０００１】  本特許は、災害時の一時避難用防災建屋に関する。
【背景技術】
【０００２】  周知の通り、建築物は外気や風雨など外部の影響から生命や財産を守ることを目的に作られる。【０００３】  また、建築物は土地に固定して作られ、地震などの外力に耐えるように設計されている。
【発明の開示】
【発明が解決しようとする課題】
【０００４】  しかし、地震などで発生する津波が押し寄せると、建物本体は耐えきれずに大きなダメージを受け、建物内が安全な避難場所としての機能を失う。【０００５】  とくに、木造建築物は基礎から離れると流れに耐えきれず分解してしまう。【０００６】  また、木造以外の鉄骨造、あるいは鉄筋コンリート造でも外壁の弱い部分や窓を破って津波が浸入し避難場所は更に上階や屋上へとなるが、津波の規模によってはそこでも安全とは言い難い状況が考えられる。【０００７】  そこで、本発明は、地震発生から津波が押し寄せるまでに高台や避難ビル等に逃れるのが困難と予測される地域で、一時避難のために設置と準備が容易な避難用建屋を提供するものである。
【課題を解決するための手段】
【０００８】  本特許が上記課題を解決するにあたり、浮力が大きい特徴を持つ海上輸送用冷凍コンテナを改造して、さらに避難に必要な設備を付加させる。【０００９】  当該コンテナは、外壁と屋根パネルに断熱用発泡ウレタンを充填した新品、或いは外壁と屋根パネルに断熱用発泡ウレタンを充填した水密性に支障のない中古市場品を避難シェルターとして使用する。【００１０】  避難シェルーターの屋根面に施す出入り口は、内外から操作可能な潜水艦の如き防水ハッチにて浸水を防ぐ構造とする。【００１１】  当該避難シェルーターの外壁四面には、漂流物や他の建物への衝突に備えつつ浮力増強用に空ボンベと廃タイヤを組み合わせた緩衝浮きを取り付ける。【００１２】  また、内部には電源として蓄電池を備え付けて非常用照明、情報収集用ラジオ、救難信号発信器、救難燈に利用する。【００１３】  閉ざされた避難シェルター内部から外部の状況を把握するためのドアスコープの如き覗きメガネを防水性を保持して四面の壁に配置する。【００１４】  さらに、内部には備品として救命胴衣、ヘルメット、飲料水、非常脱出用工具類、救急箱等の救難備品を準備することにする。【００１５】  そして、当該避難シェルターは、設置される場所での予想津波高さに応じた長さで堅固な鎖を使って固定アンカーに繋留し漂流に備える。
【発明の効果】
【００１６】  壁及び屋根パネルに発泡ウレタンが充填された冷凍コンテナを利用することは水上での浮力保持に都合良く、万がいち当該避難シェルター内に浸水した場合でも沈没することが無いので確実に避難者を保護できる。また、世界規格の海上輸送用冷凍コンテナであるから、国内のみならず海外での利用も可能であり、特に津波から逃れる高台等が近くにない場合の一時避難設備として利用価値の高いものが提供できる。
【考案実施の形態】
【００１７】  本考案の実施形態について具体的に図面に基づいて説明する。
【００１８】  第図１において、冷凍機械を外した壁及び屋根パネルに発泡ウレタンが充填された海上輸送用冷凍コンテナを避難建屋（１）に利用し，屋根に出入り口防水ハッチ（２）を施し、外部タラップ（１３）及び内部タラップ（８）を使って該避難建屋（１）に逃れた避難者は、避難備品及び蓄電池室（１１）に備蓄してあるヘルメット、救命胴衣を装着して出入り口ハッチ（２）を閉め、非常照明（９）を点灯して安全な体勢を整える。
【００１９】  津波（水面）（１５）では、該避難建屋（１）は、設置場所地面コンクリート（１４）に埋め込まれた繋留用固定アンカー（３）に緊結した頑丈な繋留鎖（４）により、漂流することなく水面に合わせて浮かび上がる。
【００２０】  水面に浮かんだ該避難建屋（１）の周囲に取り付けられた緩衝浮き（５）により浮力を増強しながら漂流する瓦礫の衝撃を抑えて該避難建屋（１）を保護する。
【００２１】  ある程度津波が治まり、外部の様子を確認出来るように覗きメガネ（６）を各方向に取り付けた。
【００２２】  また、万がいち該避難建屋（１）に浸水してしまった場合、避難者の呼吸を確保するために非常給気管（７）に繋がった吸気ゴム管（７’）を避難者はそれぞれ口にくわえて呼吸し脱出の順番、或いは救助を待つことになるが、この際救難燈（１０）と救難信号を点灯して救助を待つ。
【００２３】  さらに、該避難建屋（１）からの緊急避難に際して出入り口防水ハッチ（２）
と同時に緊急脱出用蹴破り壁（１２）からも脱出するようになる。
【図面の簡単な説明】
【００２４】
【図１】は、本考案の実施形態の長手方向断面図である。
【符号の説明】
【００２５】（１）    避難建屋
（２）    出入り口防水ハッチ
（３）    繋留用固定アンカー
（４）    繋留鎖
（５）    緩衝浮き
（６）    覗きメガネ
（７）    非常給気管
（７’）  吸気ゴム管
（８）    内部タラップ
（９）    非常照明
（１０）  救難燈
（１１）  避難備品及び蓄電池室
（１２）  緊急脱出用蹴破り壁
（１３）  外部タラップ
（１４）  設置場所地面コンクリート
（１５）  津波水面
【図１】
2013063753.tif 000003
(57)【要約】      （修正有）【課題】停止の際に．アクセルとブレーキの踏み間違いで、踏み込み過ぎて、暴走させての事故を防止する。【解決手段】Ａシリンダーの軸は、アクセルペダルに連結されて普通に踏み込まれたら、Ａシリンダーゆっくり前に出て．３ｍｍの穴より油が押し出される。Ｃシリンダーが．前に出て、アクセルに力が加わり加速する。アクセルペタルが緩めば、ＡとＣシリンダーは戻りアクセルは、戻り、減速する。アクセルが急に強く踏込まれた時に、Ａシリンダーで押し出された油圧でＡバルブが開き、Ｂシリンダーが押し出されて、ブレーキが作動する。【選択図】図−１
2013063755.tif 000002
【特許請求の範囲】
【請求項１】
１）高齢者により．アクセルとブレーキの踏み間違いによる事故を防止する。
２）アクセルお踏み間違えても．強く踏み込めばブレーキが働きアクセルは戻るので．事故には成らない。
３）急発進の防止にも．成ります。
４）走行中に側面等の，視界に入らない方向からの衝突時は，アクセル踏んだままなので暴走し．他の車や人との２次災害に成りやすいのも．ブレーキが働くので．その場に停止するから２時災害も，防止出来る。
５）アクセルを開放すれば．元に復旧する。
【発明の詳細な説明】
【技術分野】
【０００１】高齢者等による．アクセルとブレーキの踏み間違いによる暴走事故を防止する。
【背景技術】
【０００２】アクセルの踏み込み過ぎでの、暴走の防止【０００３】衝突事故時に暴走して、他の車や人との、２次災害を防止する。
【発明の開示】
発明が解決しようとする課題
【０００４】駐車しようとして，アクセルとブレーキの．踏み間違いで暴走させ，衝突事故が多発している。
この暴走を止めて．事故を防止する。
【発明の効果】
アクセルをブレーキと間違えて踏み込んでも．ブレーキが作動して．車は停止する。
アクセルを急激に踏み込めば，ブレーキが作動してアクセルは．開放され元にもどる。又急な発進は出来ない。
【図−１】
2013063755.tif 000003
【図−２】
2013063755.tif 000004
【図−３】
2013063755.tif 000005
【手続補正書】
【提出日】平成23年12月1日(2011.12.1)
【手続補正１】
【補正対象書類名】明細書
【補正対象項目名】全文
【補正方法】変更
【補正の内容】
【発明の詳細な説明】
【技術分野】
【０００１】高齢者等による、アクセルとブレーキの踏み間違いによる暴走事故を防止する。
【背景技術】
【０００２】アクセルの踏み込み過ぎでの．暴走防止。【０００３】衝突事故時に暴走して、他の車や人との、２次災害を防止する。
【発明の開示】
【０００４】駐車しようとして．アクセルとブレーキの，踏み間違いで暴走させ、衝突事故が多発している。
この暴走を止めて，事故を防止する。
【発明の効果】
【０００５】アクセルをブレーキと間違えて踏み込んでも，ブレーキが作動して，車は停止する。
アクセルを急激に踏み込めば，ブレーキが作動してアクセルは，開放され戻る。又急発進は出来ない。
【図面の簡単な説明】
【０００６】
【図−１】平面図（アクセルがＯＦＦの状態）
【図−２】アクセルを急激に、踏み込んだ時の図。
【図−３】アクセルをブレーキと間違えて、強く深く踏み込んだ時。
(57)【要約】【課題】壁掛カレンダーに予定や覚え書きとして記入する際、又電話対応中の書き込みをする際に、ペンが見つからない事があり不便だった。  本発明は、予定や覚え書きを書き込む時にペンをさがさず記入できる壁掛カレンダー用入れ具を提案する。【解決手段】柔軟性のあるシート上下の端にマグネットを設け、壁掛カレンダーの下部中央に挟む。マグネットのついていないシート部分にペンを入れる。シート内部にスベリ止めを設けたことを特徴とする壁掛カレンダー用ペン入れ具。【選択図】図１
2013063629.tif 000002
【特許請求の範囲】
【請求項１】
柔軟性のあるシート上下の端にマグネットを設け、マグネットのついていないシート内側にスベリ止めを設けた壁掛カレンダー用ペン入れ具。
【発明の詳細な説明】
【技術分野】
【０００１】  本発明は壁掛カレンダーにつけるペン入れ具に関するものである。
【背景技術】
【０００２】  従来は壁掛カレンダーと別の場所にペン等の筆記用具を置くか近くにペンスタンドを置いていた。
【発明の概要】
【発明が解決しようとする課題】
【０００３】  壁掛カレンダーに予定や覚え書きとして記入する際、又電話対応中の書き込みをする際に、ペンが見つからない事があり不便だった。
本発明は、以上の問題を解決するためになされたものである。
【課題を解決するための手段】
【０００４】  柔軟性のあるシートの上下の端にマグネットを設け、壁掛カレンダーの下部中央に挟む。マグネットのついていないシート部分にペンを入れる。又、シート内部にスベリ止めを設ける。
以上の構成によりなる壁掛カレンダー用ペン入れ具。
【発明の効果】
【０００５】  従来は別々に置かれていた壁掛カレンダーとペンなどの筆記用具を本発明により一緒にまとめ、ペンなどの筆記用具をさがすことなくスムーズに記入することができる。
【図面の簡単な説明】
【０００６】
【図１】本発明の使用状態を示す斜視図
【図２】本発明の平面図
【発明を実施するための形態】
【０００７】  以下、本発明の実施の形態を説明する。
（イ）柔軟性のあるシート（１）の上下にマグネット（２）を設ける。
（ロ）マグネット（２）も設けていない内側シート（１）スベリ止め（３）を設ける。
本発明は以上のような構造である。
本発明を使用するには、マグネット（２）部分を内側にして、カレンダー下部の中央に挟む。壁掛カレンダー本体、もしくは表紙や厚紙に挟む。マグネット（２）部分以外のシート（１）に鉛筆やボールペン、マジックなどの筆記用具を収納する。シート（１）内部にスベリ止め（３）を設けている為、筆記用具など落ちにくい。
【符号の説明】
【０００８】  １シート、２マグネット、３スベリ止め
【図１】
2013063629.tif 000003
【図２】
2013063629.tif 000004
(57)【要約】【課題】  中身の無いリング・ドーナツは一般に見受けられるが、中身の有るリング・ドーナツは見受けられなかった。中身の異なる種類のリング・ドーナツを製造出来る装置を発明した。【解決手段】  先ず両手指、手の平を使い製造していたが製造時間が掛かり過ぎる事から試行錯誤の結果、此の装置を発明、飛躍的に進歩した。商業的に見ても生産性は成り立つ。試作品を作る間、詰め物を覆う様に中央凸状突起部に集める時、詰め物も同時に動いて上下生地間に詰め物を少しでも挟むと上下生地同志の接着が困難に成っていた、それを解決するのに凸状突起頂部を外周壁平面より突き出た構造変更した処、詰め物は寄り付かなく成り製造作業は全て順調に運ぶように成った。【選択図】  図３
2013063028.tif 000002
【特許請求の範囲】
【請求項１】
おわん型を成して、中央に凸状の突起を山形に形成し、円の外周壁との間に溝を形成したことを特徴とするコンテンツ・リング・フッド製造容器。
【請求項２】
リング・フッド容器の外形より大きい円形の生地を載せて、其の上に外形より小さいリング状の詰め物を溝に沿って配設すべくなしたことを特徴とする請求項１記載のコンテンツ・リング・フッド製造容器。
【請求項３】
リング・フッド容器の外形より、はみ出した外側生地端は詰め物を覆う様に中央凸状突起に３６０°集めて被せていくことを特徴とする請求項１及び２記載のコンテンツ・リング・フッド製造容器。
【請求項４】
集め終えた生地は凸状突起部で下生地に向けて押し込んで行くと上下の生地は完全に接着するようになしたことを特徴とする請求項１乃至３記載のコンテンツ・リング・フッド製造容器。
【請求項５】
中央凸状突起の円周が大きく成っているから下部に押し下げて行くと生地の穴が大きく成る事を特徴とする請求項１乃至４記載のコンテンツ・リング・フッド製造用容器。
【請求項６】
外周平面より中央凸状突起を突出させ、外周溝に円を描いて詰めた詰め物が中央凸状突起にて遮断されるようなしたことを特徴とする請求項１乃至５記載のコンテンツ・リング・フッド製造用容器。  
【発明の詳細な説明】
【背景技術】
【０００１】
本発明はパン生地又はイースト・ドーナツ生地で製造する詰め物入りリング・フッド製造用容器で有って、近年詰め物の無いリング・フッドは見かけるが、詰め物入りリング・フッドは見かけない。
【０００２】
此の容器は、おわん型を成して、其の中央突起を山形に形成し円の外周壁との間に溝が有る、尚中央突起頂部は緩やかな湾曲を成して生地に負担を掛けない工夫を施している。
【先行技術文献】
【特許文献】
【０００３】
【特許文献１】特公昭  ４６−０２９１８９
【特許文献２】特開昭  ５２−１４５５８０
【発明の概要】
【発明が解決しようとする課題】
【０００４】
中身無しのリング・ドーナツはお馴染みで有って、中身有りのリング・ドーナツも消費者に提供したい。
【０００５】
コンテンツ・リング・フッド製造用容器は中身入りリング・パン又リング・ドーナツだけでなくリング・餃子等、種類は無限に拡大して行く。
【課題を解決するための手段】
【０００６】
パン又はドーナツにしても毎回種類が変貌している今日、此の容器をもって参入して行くのである。
【発明の効果】
【０００７】
経済低迷時代に幾らかでも産業の発展に寄与したいので有る。
【図面の簡単な説明】
【０００８】
【図１】図１は、ドーナツあるいはパン等の平面図である。
【図２】図２は、図１の中心を切り取った断面図である。
【図３】図３は、斜め上方より見た斜視図である。
【発明を実施するための形態】
【０００９】
材質はプラスチックで黒色に色付けして有る、何故なら欠けたプラスチック片が生地中に入った時、見つけ易い利点が有る。
【実施例】
【００１０】
単期間で有ったが個人的に満足するもので有った。
コンテンツ・リング・フッド製造用容器で使用する生地作りの手順を紹介すると
菓子パン生地                        イースト・ドーナツ生地
強力粉  １００％                ミックス粉  １００％  ミキサー機
砂糖  ２０％                    卵  殻付  ５％        低速  ５分
塩  ０、８％                    イースト  ４％        中速  ９分
バター  ８％                  牛乳  ５３％        ミキサー終了後の
卵  殻付  １４％                                  生地温度  ２７℃  
イースト  ５％
牛乳    ５８％
ミキサー終了後６０分、室温で休ませ、５０ｇに分割後、丸めて+５℃の冷蔵庫で２０分休ませ出庫後生地が伸ばし易く成っているから麺棒で外周壁より少し大きめの円形に押し延べる。ホイロ温度３３℃、湿度７５％、ホイロ時間５０分、パンは窯で焼成。窯温度２００℃焼成時間８分。イースト・ドーナツは油温度１７０℃、片面２分両面で４分揚げる。
【産業上の利用可能性】
【００１１】
消費者からの質問が有った。中身はどうやって入れるのかと、製造時間大幅に短縮した事、製品の仕上がりも満足出来る事で有る。  
【符号の説明】
【００１２】
１  溝
２  中央凸状突起頂部
３   容器外周壁の上面
４   中央凸状突起下部の円周
５   中央凸状突起上部の円周
【図１】
2013063028.tif 000003
【図２】
2013063028.tif 000004
【図３】
2013063028.tif 000005
(57)【要約】【課題】  草刈り機のネック部分に、プラスチック造成加工品を被せ飛散物の人体の安全と作物の損傷防護の必携と簡易化を提供する。【解決手段】  草刈り、草取りをするにナイロン紐、草取りカッタ−使用するに当り、飛散物防護に眼鏡、ネット、前掛け、ズボンなど装備しないと顔人体、作物等に損傷を被った、そこで簡易に防護できる方法としてプラスチックカバ−を利用し、草刈り機のネック部分に本品を取付け安全で容易であるので、ここに発案とした。【選択図】図１
2013063057.tif 000002
【特許請求の範囲】
【請求項１】
本発明は、草刈り機で草刈り、草取りに飛散物が顔面や人体、作物等に当り損傷被害を被っていた、草刈り機のネック部分にプラスチックカバ−をかぶせ、ナイロン紐カッタ−使用時は、平版で広く取り、飛散物を受け止め、板の手前部分を下方に折り曲げることにより、足元の飛散物防護カバ−とする、地上地中の草取りカッタ−使用には上、側壁の飛散物を受け止め、防護できる物として、ポット型プラスチック防護カバ−として、両具共に手前部分に軌道軸パイプを入れる穴を設ける、挿入切り込み口から押しこみ、穴に治める、こうすることにより安定した装備により飛散物防護ができる特徴もつ両品である。
【発明の詳細な説明】
【技術分野】
【０００１】  本発明は、草刈り機で草刈り作業するに飛散物が顔、人体、隣接作物に飛びちり、傷害を被ったりし、危険を伴う、そこでこの防護対策として、本機のネック部分に軽量で簡易に取付け、安心してこの作業に専念出来る物を開発したのである。
【背景技術】
【０００２】  飛散物防護として顔部分に、帽子にネットや眼鏡、人体には前掛けズボン等で各所に備えた、作物の傷害対策は全く無かった。
【発明の開始】
【０００３】  ナイロンカッタ−鉄鋼カッタ−等使用の場合は、各所にいろいろな飛散物防護を完備しないとを危険であった、そこでこの危険と作物傷害を簡易に完全に防護セット出来る方法として、プラスチックカバ−平板状とポット型の飛散物防護の活用である。
【発明が解決しようとする課題】
【０００４】  ナイロンカッタ−、使用するに当り、帽子ネット、眼鏡、前掛け、ズボン等を身に付けて完備しないと、危険であって、暑い中この装備は避けたい、草刈り機のネックにプラスチック平板防護カバ−を取り付けるだけで飛散物の防護が完備出来るのであって、又草刈り機で、草取りをカッタ−でする者は全く無かったが畝間株間の雑草を除去するに、草取りカッタ−を使い、ポット型飛散物防護カバ−を草刈り機ネックに取付け、草取りカッタ−で草を除去して行き、飛散物をカバ−で受け止め、隣接作物をいためない、この活用をすすめ前進したい。
【発明の効果】
【０００５】  飛散物防護、にプラチックカバ−を草刈り機のネック部分に取付けるだけで防護完備出来るのである、ナイロン紐カッタ−ではプラチックカバ−を被せたままで刈り取りたい部分の確認がとれて、その作業を進ませることができる、草取りカッタ−での使用はポット型飛散物防護カバ−を被せ、作物の間の草とりをして、隣接作物をいためない人体にも飛散しない、作物の管理業務の一役を担いたい。
【発明を実施するための最良の形態】
【０００６】  ナイロン紐カッタ−の飛散物防護カバ−の造成は回転紐の長さよりプラスチック板を広くとり、その内側でナイロン紐が回転することが決め手である、半円板状に型を取り（図１）１、その幅で手前にのばし、屈折し、その部分に軌道軸パイプが入る穴を設ける、屈折した面を足元、飛散物防護カバ−とする、続いてプラスチック平板の支えを軽金属パイプを選定し、パイプの一方の端をたたき平盤状にし（図１）４、ボルト穴を設けておく、併せて固定差し込み金棒ボルト穴を設けておく、一方の端をプラスチックカバ−に取り付ける（図１）３、次ぎに軌道軸パイプをパイプ挿入切り込みをとうして（図１）９、軌道軸パイプ挿入（図１）８、穴にに入れる、位置が確認できたら続いて本品と軌道軸パイプを固定、定着位置を決め（図１）５、パイプ押さえ取付け金具（図１）７、で固く締め込む（図１）６。
隣接作物損傷防護ポット型プラスチックカバ−（図３）、の造成については、ポットの円計が草取りカッタ−より広くとり、被せるが如くセットする、取付けについては前者と全く同様である。
【図面の簡単な説明】
【０００７】
【図１】  本発明の斜視図
【図２】  本発明の組合せ見取り図
【図３】  本発明の隣接作物損傷防護ポット型プラスチックカバ−
【符号の説明】
【０００８】  １  顔面人体、飛散物防護カバ−
２  カバ−支え軽金属パイプ
３  カバ−取付け（針金又は紐）
４  パイプつぶし平板状部分
５  固定差し込み金棒
６  占め込み金具ボルト、ナット
７  軌道軸パイプ押さえ取付け金具
８  軌道軸パイプ挿入穴
９  軌道軸パイプ挿入切り込み
１０  足元飛散物防護カバ−
１１  プラスチック折り曲げ加工
１２  ナイロンカッタ−
１３  ナイロンコ−ド
１４  軌道軸パイプ
１５  隣接作物損傷防護ポット型プラスチックカバ−
【図１】
2013063057.tif 000003
【図２】
2013063057.tif 000004
【図３】
2013063057.tif 000005
(57)【要約】【課題】  雑煮等の汁物に入った切り餅は、すべりやすく箸で掴みにくい。【解決手段】  切り餅の表側及び裏側の両面全体に、連続する凹凸柄を形成する。【選択図】図１
2013063058.tif 000002
【特許請求の範囲】
【請求項１】
箸の滑り防止のため、表面に連続する凹凸柄を形成する、伸し餅及び切り餅。
【発明の詳細な説明】
【技術分野】
【０００１】  本発明は、切り餅の加工に関するものである。
【発明の概要】
【発明が解決しようとする課題】
【０００２】  箸の使い方が上手でない子供や、握力が落ち、少々手が不自由になったお年寄り等は、雑煮等の汁物の中に入った切り餅を、椀の中から箸先で掴み上げようとすると、箸が滑って思うようにいかないことが多々ある。本発明は、これを解決しようとするものである。
【課題を解決するための手段】
【０００３】  本発明は、図１に示すよう、箸の滑り防止のため、表側及び裏側の両面全体に、連続する凹凸柄を形成する切り餅とする。
【発明の効果】
【０００４】  １．図１に示すよう、箸先が程よく掛かる凹凸を形成することによって、汁物の中に入った本発明の切り餅は、これまでの、のっぺりした切り餅と違って掴み易くなり、箸先から滑りにくくなるものである。
２．本発明の切り餅は、凹凸の形成によって表面積が大きくなったことで、その分効率的に焼き熱が餅内部に伝わり易くなり、焼き上がりを早くするものである。
３．又、網焼きに代わって、テフロン加工のフライパンで本発明の切り餅を焼くなら、切り餅の凹み部分とフライパンとの間に、焼き熱が溜まる空気層が出来、２．同様に焼き上がりを早くし、且つ、それによって、不要な焼け焦げが少なくなる。
３．本発明の切り餅を、雑煮や力うどん等に入れたなら餅の表面積が大きくなったことで、つゆがより絡み易くなり、より餅をおいしく食することが出米る。
４．本発明の切り餅を、汁粉やぜんざいに入れたなら、先理由によってその汁粉やぜんざいがより絡むもので、上記同様に餅をおいしく食することが出来る。
５．本発明の切り餅をあべかわ餅や、餡をまぶして食する場合、両面の凹凸状によって、きなこや餡がつき易くなり、たいへん具合が良い。
６．焼き上がった本発明の切り餅を、皿に浅く入れた醤油につけた場合、凹凸柄の凸部のみに醤油がつき、それによって醤油のつけ過ぎを防ぎ、且つ、いそべ巻としてその餅に海苔を巻いた場合、凹凸面の都合、醤油がつかない海苔部分が出来、その部分海苔のパリパリ感を残すことが出来る。
７．一個づつ密封フイルムパックされた本発明の切り餅は、これまでと違ってフイルムパックとの密着度が著しく低いため、フイルムパックからの切り餅取り出しが楽である。
８．本発明は、これまで見た目の違いのないのっぺりした切り餅と違い、表側及び裏側に凹凸柄を入れることで、商品としての個性を、消費者に印象づけるに効果的である。
【図面の簡単な説明】
【０００５】
【図１】は、本発明の切り餅を示す斜視図。
【符号の説明】
【０００６】１．表側全体に形成する連続した凹凸柄
２．裏側全体に形成する連続した凹凸柄
【図１】
2013063058.tif 000003
(57)【要約】      （修正有）【課題】虫の種類により捕虫器の中へ入れない又は逃げ出す、液体がこぼれるなどの欠点のない補虫器を提供する。【解決手段】ペットボトルの形状を利用し、上部へ集まる虫の習性を利用し底部に誘導口を作ったので虫を捕獲でき、くり返し利用出来る。またガラス工芸品としても利用する事が出来る。【選択図】図１
2013063060.tif 000002
【特許請求の範囲】
【発明の詳細な説明】
【発明が解決しようとする課題】
いままではペットボトルの側面に小さな穴を開けて酢、砂糖水でおびき寄せ捕えていましたが穴の大、小  虫の大小により穴から逃げ少しかたむくと液体がこぼれるなど欠点がありました。
【解決の手段】
底からの誘導口を設けたので１度入ったら虫の大、小にかかわらず出られません、又誘導口をペットボトルの中心の下部にあり高さもあるので倒れても液体がこぼれずタナに立てておく事も出来  足があるので虫のエサなどの上にペットボトルを設置すれば飛び立った虫はペットボトルへ入ります。
【発明の効果】
ペットボトルを組み合せ接着して作ったところハエなどがたくさん捕る事が出来  ハチにも効果があった。振災地でハエが大量発生している様だがそういう場所ではとくに効果があると思います
【図面の簡単な説明】
2013063060.tif 000003
【発明を実施するための形態】
ペットボトルメーカーで製造する。
【産業上の利用可能性】衛生的なので１般家庭の外  水産加工場や畜産農家などでも利用したら良いと考える何度でもくり返し使える。
【図１】
2013063060.tif 000004
【図２】
2013063060.tif 000005
【手続補正書】
【提出日】平成23年12月16日(2011.12.16)
【手続補正１】
【補正対象書類名】明細書
【補正対象項目名】全文
【補正方法】変更
【補正の内容】
【発明の詳細な説明】
【発明が解決しようとする課題】
いままではペットボトルの側面に小さな穴を開けて酢、砂糖水でおびき寄せ捕えていましたが穴の大、小  虫の大小により穴から逃げ少しかたむくと液体がこぼれるなど欠点がありました。
【解決の手段】
底からの誘導口を設けたので１度入ったら虫の大、小にかかわらず出られません、又誘導口をペットボトルの中心の下部にあり高さもあるので倒れても液体がこぼれずタナに立てておく事も出来  足があるので虫のエサなどの上にペットボトルを設置すれば飛び立った虫はペットボトルへ入ります。
【発明の効果】
ペットボトルを組み合せ接着して作ったところハエなどがたくさん捕る事が出来  ハチにも効果があった。
振災地でハエが大量発生している様だがそういう場所ではとくに効果があると思います
【図面の簡単な説明】
【図１】（１）図その１は側面と底面から見た図で、底面に誘導口を設けました。（２）側面上部が排水口でふだんはキャップをしておきます（３）底面図の中心が誘導口で４個あるのが棚に置く時の足です（４）排水口のキャップの所へ吊り下げるための紐をとり付けます
【図２】（１）内部に設ける誘導口は外部のペットボトルより少し小さくします（２）排水口にキャップをして誘導口から砂糖と酢を入れ内部に約５ｃｍ位の液体を作ります（３）液体を排出する時はキャップをはずして排出します
【発明を実施するための形態】
ペットボトルメーカーで製造する。
【産業上の利用可能性】衛生的なので１般家庭の外  水産加工場や畜産農家などでも利用したら良いと考える  何度でもくり返し使える。
【手続補正２】
【補正対象書類名】特許請求の範囲
【補正対象項目名】全文
【補正方法】変更
【補正の内容】
【特許請求の範囲】
【請求項１】
ペットボトルを改良して底部に誘導口を設け事により虫を捕えやすくなり液体もこぼれず、清潔です。
紐で吊り下げて使い屋外でも使用出来ますが場所によっては棚などの上に置いて使用出来ます
請求の範囲は
（１）ペットボトルの底部に誘導口を設けた事
（２）ペットボトルの底部に足を設けた事
です。